(57)【要約】【課題】従来の足底アーチを強制的に形作るサポーターは、足底や足甲部を締めつけるような形体になっているため、生理解剖学的に筋肉や腱の働きが抑制され、かえって足本来の機能を低下させてしまう恐れがある。【解決手段】本発明は、足の母指内転筋の斜頭から長腓骨筋に沿って配置される第１サポート部と、この第１サポート部と連続して形成され前記足の後側部分に係止される第２サポート部とを備え、前記第１サポート部と前記第２サポート部の少なくとも何れか一方が伸縮性を有するフットバランス用ベルト及びフットバランス用靴下を提供する。【選択図】図２
2016165432.tif 000002
【特許請求の範囲】
【請求項１】
足の母指内転筋の斜頭から長腓骨筋に沿って配置される第１サポート部と、この第１サポート部と連続して形成され前記足の後側部分に係止される第２サポート部とを備え、前記第１サポート部と前記第２サポート部の少なくとも何れか一方が伸縮性を有していることを特徴とするフットバランス用ベルト。
【請求項２】
前記第１サポート部と前記第２サポート部との連結部を足裏の重心に配置してなる請求項１に記載のフットバランス用ベルト。
【請求項３】
足の母指内転筋の斜頭から長腓骨筋に沿って配置される第１サポート部と、この第１サポート部と連続して形成され前記足の後側部分に係止される第２サポート部とが編み込まれ、前記第１サポート部と前記第２サポート部の少なくとも何れか一方が伸縮性を有していることを特徴とするフットバランス用靴下。
【請求項４】
前記第１サポート部と前記第２サポート部との連結部を足裏の重心に配置してなる請求項３に記載のフットバランス用靴下。
【請求項５】
前記靴下において、足の親指と小指の付け根の母指内転筋横頭に沿う伸縮性を有する第３サポート部を設けてなる請求項３又は請求項４に記載のフットバランス用靴下。
【請求項６】
前記靴下において、親指と人差し指と中指の３本を入れる第１筒部と、薬指と小指の２本を入れる第２筒部に分けてなる請求項３から５のいずれかに記載のフットバランス用靴下。
【請求項７】
前記靴下において、親指を入れる第３筒部と、人差し指と中指の２本を入れる第４筒部と、薬指と小指の２本を入れる第２筒部に分けてなる請求項３から６のいずれかに記載のフットバランス用靴下。
【発明の詳細な説明】
【技術分野】
【０００１】  本発明は、外反母趾及び内反小指を矯正して、立ち姿勢を良好にするフットバランス用ベルト及びフットバランス用靴下に関するものである。
【背景技術】
【０００２】  健康で正常な足は図１２（Ａ）（Ｂ）に示すように、内側縦アーチＡＣ、外側縦アーチＢＣ、横アーチＡＢがしっかりと形成されことにより、足裏のバランスが保たれるようになっている。従って、内側縦アーチＡＣ、外側縦アーチＢＣ、横アーチＡＢの何れかのアーチバランスが崩れると、足底アーチが扁平化して開張足になり、踵から足首までの安定性が失われる。これにより足、腰、肩等の体全体のバランスが崩れ、立ち姿勢が悪くなる。【０００３】  これらの課題を解決するために、特許文献１及び特許文献２等が提案されている。
【先行技術文献】
【特許文献】
【０００４】
【特許文献１】特許第４７３４０４０号公報
【特許文献２】特開２００３−３８６１３号公報
【発明の概要】
【発明が解決しようとする課題】
【０００５】  しかしながら、足底アーチを強制的に形作るサポーターは、足底や足甲部を締めつけるような形体になっているため、生理解剖学的に筋肉や腱の働きが抑制され、かえって足本来の機能を低下させてしまう恐れがある。また、足底アーチ形成に必要不可欠な機能解剖学的な関節や筋肉及び腱の作用に沿ったものでなく、満足できるものではなかった。【０００６】  本発明は前記課題に鑑みてなされたもので、足底と足甲部を同時に締め付けることなく着用するだけで、生理機能解剖学的に足の内側縦アーチ、外側縦アーチ、横アーチが同時に形成されることにより、踵から足首までの安定性を高めることができるため、立ち姿勢を良くすることができるフットバランス用ベルト及びフットバランス用靴下を提供することを目的とする。
【課題を解決するための手段】
【０００７】  本発明の請求項１に記載のフットバランス用ベルトは、足の母指内転筋の斜頭から長腓骨筋に沿って配置される第１サポート部と、この第１サポート部と連続して形成され前記足の後側部分に係止される第２サポート部とを備え、前記第１サポート部と前記第２サポート部の少なくとも何れか一方が伸縮性を有するようにしたものである。【０００８】  従って、フットバランス用ベルトを足に着用した時に、第１サポート部の親指側と第２サポート部の内側足首部がお互いに牽引されることにより、親指を内転方向に引き寄せると共に立方骨を上方及び外方にサポートし、小指を内転方向に引き寄せる。このため、親指側の縦アーチ、小指側の縦アーチと親指及び小指の横アーチが形成されることにより、小指側の外転と親指側の外転が改善され、足裏アーチのバランスが整うと共に内反小指及び外反母子の軽減やさまざまな足のトラブルが軽減及び予防されるとともに、踵から足首までの安定性を高めることができるため、立ち姿勢を良くすることができる。【０００９】  本発明の請求項２に記載のフットバランス用ベルトは、前記第１サポート部と前記第２サポート部との連結部を足裏の重心に配置したものである。【００１０】  一般に、扁平足や開張足は身体の土台である重心位置が定まらないため、上半身に歪みが生じることになる。
これに対し、本発明はフットバランス用ベルトを着用した時、第一サポート部と第二サポート部との連結部が足底中心部である重心に位置し、連結部が第一サポート部と第二サポート部により引き上げられるため、重心の位置が認識され正しい位置で立つことができる。【００１１】  本発明の請求項３に記載のフットバランス用靴下は、足の母指内転筋の斜頭から長腓骨筋に沿って配置される第１サポート部と、この第１サポート部と連続して形成され前記足の後側部分に係止される第２サポート部とが編み込まれ、前記第１サポート部と前記第２サポート部の少なくとも何れか一方が伸縮性を有するようにしたものである。【００１２】  従って、フットバランス用靴下を足に着用した時に、第１サポート部の親指側と第２サポート部の内側足首部がお互いに牽引されることにより、親指を内転方向に引き寄せると共に立方骨を上方及び外方にサポートし、小指を内転方向に引き寄せる。このため、親指側の縦アーチ、小指側の縦アーチと親指及び小指の横アーチが同時に形成されることにより、踵から足首までの安定性を高めることができるため、立ち姿勢を良くすることができる。【００１３】  本発明の請求項４に記載のフットバランス用靴下は、前記第１サポート部と前記第２サポート部との連結部を足裏の重心に配置したものである。【００１４】  従って、本発明はフットバランス用靴下を着用した時、第一サポート部と第二サポート部との連結部が足底中心部である重心に位置し、その部分が第一サポート部と第二サポート部により引き上げられるため、重心の位置が認識され正しい位置で立つことができる。
ることができる。【００１５】  本発明の請求項５に記載のフットバランス用靴下は、足の親指と小指の付け根の母指内転筋横頭に沿う伸縮性を有する第３サポート部を設けるようにしたものである。【００１６】  従って、本発明はフットバランス用靴下を着用した時、第３サポート部により足底アーチの形成を高められ、踵から足首までの安定性を更に高めることができるため、立ち姿勢を一層良くすることができる。【００１７】  本発明の請求項６に記載のフットバランス用靴下は、親指と人差し指と中指の３本を入れる第１筒部と、薬指と小指の２本を入れる第２筒部に分けるようにしたものである。【００１８】  従って、距骨が共通である親指と人差し指と中指の３本を第１筒部に、踵骨が共通である薬指と小指の２本を第２筒部にそれぞれ分断して入れることにより、親指と人差し指と中指の３本と薬指と小指の２本が独立して動くので、親指側の縦アーチ、小指側の縦アーチと親指及び小指の横アーチが同時に形成され易くなって、踵から足首までの安定性を高めることができるため、更に立ち姿勢を良くすることができる。【００１９】  本発明の請求項７に記載のフットバランス用靴下は、親指を入れる第３筒部と、人差し指と中指の２本を入れる第４筒部と、薬指と小指の２本を入れる第２筒部に分けるようにしたものである。【００２０】  従って、親指と、距骨が共通である人差し指と中指の２本と、踵骨が共通である薬指と小指の２本を、それぞれ筒部に分断して入れることにより、親指と、人差し指と中指の２本と、薬指と小指の２本が独立して動くので、親指側の縦アーチ、小指側の縦アーチと親指及び小指の横アーチが同時に形成され易くなって、踵から足首までの安定性を高めることができるため、より一層、立ち姿勢を良くすることができる。
【発明の効果】
【００２１】  本発明によれば、親指側の内側縦アーチ構造、小指側の外側縦アーチ構造、小指の横アーチ構造に貢献するそれぞれ筋肉に沿って作用する引っぱり応力を助長させることができるため、小指側の中側骨頭部の外転と親指側の中側骨頭部の外転が改善され、足アーチのバランス及び骨格を正常にさせて足の骨格アーチ構造の低下を抑制するとともに、踵から足首までの安定性を高めることができ、立ち姿勢を良くすることができるという特有の効果を発揮することができる。
【図面の簡単な説明】
【００２２】
【図１】本発明の第１実施形態に係る右足用のフットバランス用ベルトの平面図である。
【図２】本発明の第１実施形態に係るフットバランス用ベルトを右足に着用したもので、（Ａ）は平面図、（Ｂ）は底面図、（Ｃ）は斜視図である。
【図３】右足の骨格を示すもので、（Ａ）は正常な足の骨格の底面図、（Ｂ）はアーチが崩れた骨格の底面図である。
【図４】右足の骨格を示すもので、（Ａ）は筋肉が正常に働いている状態の正常な骨格の底面図、（Ｂ）は筋肉の働きが弱くなり崩れた状態の骨格の底面図である。
【図５】右足の骨格を示すもので、（Ａ）は筋肉が正常に働いている状態の正常な骨格の側面図、（Ｂ）は筋肉の働きが弱くなり崩れた状態の骨格の側面図である。
【図６】本発明の第２実施形態に係るフットバランス用靴下で、（Ａ）は平面図、（Ｂ）は底面図である。
【図７】本発明の第２実施形態に係る右足用のフットバランス用靴下を右足に着用したもので、（Ａ）は底面図、（Ｂ）は斜視図である。
【図８】本発明の第２実施形態に係るフットバランス用靴下における右足の骨格を示すもので、（Ａ）は底面図、（Ｂ）は側面図である。
【図９】本発明の第３実施形態に係るフットバランス用靴下における右足の骨格を示すもので、（Ａ）は底面図、（Ｂ）は側面図である。
【図１０】本発明の第４実施形態に係るフットバランス用靴下における右足の骨格を示すは底面図である。
【図１１】本発明の第５実施形態に係るフットバランス用靴下における右足の骨格を示すは底面図である。
【図１２】右足の参考図で、（Ａ）は健康的な状態での重心位置を示す平面図、（Ｂ）は健康的なアーチの状態を示す骨格図である。
【発明を実施するための形態】
以下、本発明の第１実施形態を図面に基づいて説明する。
【００２３】  図１乃至図５において、１はフットバランス用ベルトで、１ａは足先から踵２又は足首３まで通す第１環状部、１ｂは足の親指４に係止される第２環状部、１ｃは踵２又は足首３に係止される第３環状部である。
先ず、第１環状部１ａを足先から踵２又は足首３まで通した後、親指４に第２環状部１ｂを係止させて、第３環状部１ｃを踵２又は足首３に係止させて足に着用する。これにより、第１サポート部５が足の母指内転筋６の斜頭７から長腓骨筋８に沿って配置される。同時に、第１サポート部５と連続して形成されている第２サポート部９が足の後側部分である踵２又は足首３に係止される。
【００２４】  この第１サポート部５と第２サポート部９の少なくとも何れか一方がゴム等で形成され伸縮性を有しているが、第１サポート部５と第２サポート部９の両方がゴム等で形成され伸縮性を有している方が好ましい。
【００２５】  従って、フットバランス用ベルト１を足に着用した時に、第１サポート部５の親指４側と第２サポート部９の内側足首部１０がお互いに牽引されることにより、親指４を内転方向に引き寄せると共に立方骨１１を上方及び外方にサポートし、小指１２を内転方向に引き寄せる。
【００２６】  このため、親指４側の縦アーチ１３、小指１２側の縦アーチ１４と親指４及び小指１２の横アーチ１５が形成されることにより、小指１２側の中足骨頭部１６の外転と親指４側の中足骨頭部１７の外転が改善され、足アーチのバランス及び骨格を正常にさせて足の骨格アーチ構造の低下を抑制するとともに、踵２から足首３までの安定性を高めることができるため、立ち姿勢を良くすることができる。
【００２７】  一般に、扁平足や開張足は身体の土台である重心位置が定まらないため、上半身に歪みが生じることになる。
このため、第１サポート部５と記第２サポート部９との連結部１８を足裏の重心１９に配置している。
従って、フットバランス用ベルト１を着用した時、第１サポート部５と第２サポート部９との連結部１８が足底中心部である重心１９に位置しているため、連結部１８が第１サポート部５と第２サポート部９により図５に示すように（Ｂ）の状態から（Ａ）の状態に引き上げられて、重心１９の位置が認識され正しい位置で立つことができる。
【００２８】  図６乃至図８は本発明の第２実施形態を示すもので、フットバランス用靴下２０は、足の母指内転筋６の斜頭７から長腓骨筋８に沿って配置される第１サポート部５０と、この第１サポート部５０と連続して形成され足の後側部分である踵２又は足首３に係止される第２サポート部９０とからなり、第１サポート部５０と第２サポート部９０の少なくとも何れか一方が弾性を有する上述したフットバランス用ベルト１が編み込まれたものである。
【００２９】  従って、フットバランス用靴下２０を足に着用した時に、第１サポート部５０の親指４側と第２サポート部９０の内側足首部１０がお互いに牽引されることにより、親指４を内転方向に引き寄せると共に立方骨１１を上方及び外方にサポートし、小指１２を内転方向に引き寄せる。
このため、図５に示したように、親指４側の縦アーチ１３、小指１２側の縦アーチ１４と親指４及び小指１２の横アーチ１５が同時に形成されることにより、踵２から足首３までの安定性を高めることができるため、立ち姿勢を良くすることができる。
【００３０】  図９は本発明の第３実施形態を示すもので、フットバランス用靴下２０に、足の親指４と小指１２の付け根の母指内転筋横頭２１に沿う伸縮性を有する第３サポート部２２を設けるようにしたものである。
【００３１】  従って、フットバランス用靴下２０を着用した時、第３サポート部２２により図５に示したように、親指４側の縦アーチ１３、小指１２側の縦アーチ１４と親指４及び小指１２の横アーチ１５の形成が更に高められ、踵２から足首３までの安定性を更に高めることができるため、立ち姿勢を一層良くすることができる。
【００３２】  図１０は本発明の第４実施形態を示すもので、フットバランス用靴下２０Ａは、親指４と人差し指２３と中指２４の３本を入れる第１筒部２５と、薬指２６と小指１２の２本を入れる第２筒部２７に分けるようにしたものである。
【００３３】  このように、距骨２８が共通である親指４と人差し指２３と中指２４の３本を第１筒部２５に、踵骨２９が共通である薬指２６と小指１２の２本を第２筒部２７にそれぞれ分断して入れることにより、親指４と人差し指２３と中指２４の３本と、薬指２６と小指１２の２本とが独立して動くので、図５に示したように、親指４側の縦アーチ１３、小指１２側の縦アーチ１４と親指４及び小指１２の横アーチ１５が同時に形成され易くなって、踵２から足首３までの安定性を高めることができるため、更に立ち姿勢を良くすることができる。
【００３４】  図１１は本発明の第５実施形態を示すもので、フットバランス用靴下２０Ｂは、親指４を入れる第３筒部３０と、人差し指２３と中指２４の２本を入れる第４筒部３１と、薬指２６と小指１２の２本を入れる第２筒部２７に分けるようにしたものである。
【００３５】  このように、親指４と、距骨２８が共通である人差し指２３と中指２４の２本と、踵骨２９が共通である薬指２６と小指１２の２本を、それぞれ筒部３０、３１、２７に分断して入れることにより、親指４と、人差し指２１と中指２２の２本と、薬指２４と小指１２の２本が独立して動くので、図５に示したように、親指４側の縦アーチ１３、小指１２側の縦アーチ１４と親指４及び小指１２の横アーチ１５が同時に形成され易くなって、踵２から足首３までの安定性を高めることができるため、より一層、立ち姿勢を良くすることができる。
【産業上の利用可能性】
【００３６】  本発明のフットバランス用ベルト又はフットバランス用靴下を使用すると、小指側の外転と親指側の外転が改善され、足アーチのバランス及び骨格を正常にさせて足の骨格アーチ構造の低下を抑制するとともに、踵から足首までの安定性を高めることができ、立ち姿勢を良くすることができるので、利用可能性が極めて大である。
【符号の説明】
【００３７】１          フットバランス用ベルト
２          足の後側部分（踵）
３          足の後側部分（足首）
４          親指
５、５０    第１サポート部
６          母指内転筋
７          斜頭
８          長腓骨筋
９、９０    第２サポート部
１０        内側足首部
１１        立方骨
１２        小指
１３        親指４側の縦アーチ
１４        小指１２側の縦アーチ
１５        親指４及び小指１２の横アーチ
１６        小指１２側の中足骨頭部
１７        親指４側の中足骨頭部
１８        連結部
１９        重心
２０、２０Ａ、２０Ｂ    フットバランス用靴下
２１        母指内転筋横頭
２２        第３サポート部
２３        人差し指
２４        中指
２５        第１筒部
２６        薬指
２７        第２筒部
２８        距骨
２９        踵骨
３０        第３筒部
３１        第４筒部
【図１】
2016165432.tif 000003
【図２】
2016165432.tif 000004
【図３】
2016165432.tif 000005
【図４】
2016165432.tif 000006
【図５】
2016165432.tif 000007
【図６】
2016165432.tif 000008
【図７】
2016165432.tif 000009
【図８】
2016165432.tif 000010
【図９】
2016165432.tif 000011
【図１０】
2016165432.tif 000012
【図１１】
2016165432.tif 000013
【図１２】
2016165432.tif 000014